(57)【要約】【課題】操舵速度に応じた操舵感を向上させた電動パワーステアリング制御装置を得ること。【解決手段】操舵トルクを検出する操舵トルク検出器と、操舵速度を検出する操舵速度検出部と、少なくとも１つの極である低域極および少なくとも２つの零点である中間零点を有する伝達関数の演算を操舵トルク検出器が検出した操舵トルクに対して行うことによって電流指令を出力する補償演算部と、操舵速度に応じて低域極または２つの中間零点の特性を変化させる伝達関数変更部と、電流指令に前記モータの電流が一致するようモータの制御を行う電流制御部と、を備える。【選択図】        図２
2010163109.tif 000002
【特許請求の範囲】
【請求項１】
運転者が加えた操舵トルクに対してモータによる補助を行う電動パワーステアリング制御装置において、
操舵トルクを検出する操舵トルク検出器と、
操舵速度を検出する操舵速度検出部と、
少なくとも１つの極である低域極および少なくとも２つの零点である中間零点を有し、前記低域極の絶対値に対応する極周波数以下の低周波数領域においてゲインが平坦で、前記極周波数から前記２つの中間零点の相乗平均に対応する零点周波数までの中周波数領域では周波数の増大に伴ってゲインが低下し、前記零点周波数と前記零点周波数の少なくとも３倍までの高周波数領域では周波数の増大に伴ってゲインが増大する周波数応答特性を有する伝達関数の演算を前記操舵トルク検出器が検出した操舵トルクに対して行うことによって電流指令を出力する補償演算部と、
前記操舵速度に応じて前記低域極または前記２つの中間零点の特性を変化させる伝達関数変更部と、
前記電流指令に前記モータの電流が一致するよう前記モータの制御を行う電流制御部と、
を備えることを特徴とする電動パワーステアリング制御装置。
【請求項２】
前記伝達関数変更部は、前記操舵速度の増加に伴って前記極周波数が減少するように前記低域極を変化させる、ことを特徴とする請求項１に記載の電動パワーステアリング制御装置。
【請求項３】
前記伝達関数変更部は、前記操舵速度の増加に伴って前記２つの中間零点を根に持つ２次多項式における１次係数の２次係数に対する比が減少するように変化させることによって前記２つの中間零点の特性を変化させる、ことを特徴とする請求項１に記載の電動パワーステアリング制御装置。
【請求項４】
前記伝達関数変更部は、前記操舵速度の増加に伴って、前記極周波数が減少するように前記低域極を変化させるとともに、前記中間零点を根に持つ２次多項式における１次係数の２次係数に対する比が増加するように変化させることによって前記中間零点を変化させる、ことを特徴とする請求項１に記載の電動パワーステアリング制御装置。
【請求項５】
前記伝達関数は、制御定数に基づいて前記低域極および前記２つの中間零点が変更可能に構成され、前記伝達関数変更部は、前記制御定数を変更することによって前記低域極または前記２つの中間零点の特性を変化させる、ことを特徴とする請求項１〜４のいずれか１つに記載の電動パワーステアリング制御装置。
【請求項６】
前記伝達関数変更部は、前記制御定数を不連続に変更するとともに、前記電流指令が急変しないように補償演算部の状態変数を不連続に変更することを特徴とする請求項５に記載の電動パワーステアリング制御装置。
【発明の詳細な説明】
【技術分野】
【０００１】
本発明は、モータにより操舵力を補助する電動パワーステアリング制御装置に関するものである。
【背景技術】
【０００２】
一般に、電動パワーステアリング制御装置は、操舵輪と操舵ホイールとを連結する操舵軸にギアを介して接続されたモータに対して、運転者がステアリングホイールを回転させたときに生じる操舵トルクを検出し、操舵トルクに応じて補償演算部でモータに対する電流指令を演算する。また電流指令に一致するようにモータの電流を制御してトルクを発生させることで、運転者による操舵を補助するようにモータトルクを発生させている。
【０００３】
この補償演算部における電流指令の演算においては、車両の安定性、操舵感などを損なわないような目的から、ゲインや各種のフィルタなどを用いて電流指令の演算を行っている。その目的のために、車両速度（車速）やトルク測定値の振幅に応じてゲインやフィルタの特性を変更するといった演算も一般的に行われている。
【０００４】
【特許文献１】特開平７−３０９２５０号公報
【特許文献２】特開２００２−２３４４５４号公報
【発明の開示】
【発明が解決しようとする課題】
【０００５】
特許文献１に開示されている電動パワーステアリング制御装置は、操舵トルクの検出値に対して、アシスト曲線と呼ぶ、操舵トルクの大きさや車速に応じて変化する非線形なゲインを作用させ、その結果に適応トルクフィルタと呼ぶフィルタ演算を行った結果を電流指令として出力する。またアシスト曲線の入出力の変化比に応じて、すなわち操舵トルク検出値や車速に応じて上記適応フィルタの極を変更することで、操舵トルクから電流指令までの伝達関数における極や定常ゲイン（周波数０のゲイン）を変化させている。これによって、制御系が安定な範囲で、車速や操舵トルクの大きさに応じて好適な操舵感を得るように構成している。
【０００６】
しかしながら、モータのトルクリプルなど、モータの回転速度すなわち操舵速度に応じた操舵感については何も考慮していないため、トルクリプルなどの外乱がステアリングホイールに伝わる影響を十分に低減することができなく、操舵感の悪化につながるという問題があった。
【０００７】
特許文献２に開示されている電動パワーステアリング制御装置は、電流指令あるいは操舵トルク検出値にローパスフィルタを作用させ、すなわち、操舵トルク検出値から電流指令までの制御演算において直列にローパスフィルタを挿入し、操舵トルク検出値に含まれる検出ノイズの影響を電流指令から除去するように構成している。また、このローパスフィルタの極を車速や操舵速度に応じて変更している。
【０００８】
しかしながら、特許文献２による技術においては、ローパスフィルタは位相を遅らせる特性となるため、制御系の安定性を保つためには制御器のゲイン、すなわちアシストゲインを十分に大きくできない、またその結果、トルクリプル等の外乱の影響を十分に低減できないという問題があった。更に、このようにローパスフィルタを用いて高周波数成分を遮断するような手法では、遮断した周波数成分の制御効果を低下させるため、検出ノイズの影響を低減することは可能なものの、遮断した周波数におけるトルクリプルなどの外乱がステアリングホイールへ伝わる影響を低減することはできないという問題があった。
【０００９】
つまり、従来のパワーステアリング制御装置においては、操舵速度に応じて発生するトルクリプルなどの外乱の影響を十分に抑制できないため、操舵速度に応じた操舵感を十分に向上することができないという問題があった。
【００１０】
本発明は、上記に鑑みてなされたものであって、操舵速度に応じた操舵感を向上させた電動パワーステアリング制御装置を得ることを目的とする。
【課題を解決するための手段】
【００１１】
上述した課題を解決し、目的を達成するために、本発明は、運転者が加えた操舵トルクに対してモータによる補助を行う電動パワーステアリング制御装置において、操舵トルクを検出する操舵トルク検出器と、操舵速度を検出する操舵速度検出部と、少なくとも１つの極である低域極および少なくとも２つの零点である中間零点を有し、前記低域極の絶対値に対応する極周波数以下の低周波数領域においてゲインが平坦で、前記極周波数から前記２つの中間零点の相乗平均に対応する零点周波数までの中周波数領域では周波数の増大に伴ってゲインが低下し、前記零点周波数と前記零点周波数の少なくとも３倍までの高周波数領域では周波数の増大に伴ってゲインが増大する周波数応答特性を有する伝達関数の演算を前記操舵トルク検出器が検出した操舵トルクに対して行うことによって電流指令を出力する補償演算部と、前記操舵速度に応じて前記低域極または前記２つの中間零点の特性を変化させる伝達関数変更部と、前記電流指令に前記モータの電流が一致するよう前記モータの制御を行う電流制御部と、を備えることを特徴とする。
【発明の効果】
【００１２】
この発明によれば、操舵速度に応じて伝達関数の極または零点を変更するように構成したので、操舵速度に応じて変動するトルクリプル等の外乱がステアリングホイールへ及ぼす影響を操舵速度に応じて低減することができるので、操舵速度に応じた操舵感を向上させた電動パワーステアリング制御装置を得ることができる、という効果を奏する。
【発明を実施するための最良の形態】
【００１３】
以下に、本発明にかかる電動パワーステアリング制御装置の実施の形態を図面に基づいて詳細に説明する。なお、この実施の形態によりこの発明が限定されるものではない。
【００１４】
実施の形態１．
図１は本発明の実施の形態１による電動パワーステアリング制御装置を示す構成図である。ステアリングホイール１に連結したステアリング軸２の回転に応じて左右の操舵輪６が転舵される。ステアリング軸２には操舵トルク検出器３が配置され、ステアリング軸２に作用する操舵トルクを操舵トルク信号τｓとして検出する。モータ４は減速機構５を介してステアリング軸２に連結しており、モータ４が発生するモータトルクτｍをステアリング軸２に付与することができる。操舵速度検出部７はモータ回転角度やモータ電圧等の検出値に基づいてステアリング軸２の回転速度すなわち操舵速度の検出を行う。制御ユニット８は操舵トルク検出器３で検出した操舵トルク信号τｓと操舵速度検出器７で検出した操舵速度に基づいてモータ４の電流を制御した結果としてモータ４に電流Ｉｍを供給する。
【００１５】
次に、制御ユニット８の要部とその動作の概略について図２を用いて説明する。制御ユニット８、補償演算部９、電流制御部１０、および制御定数変更部１２０を備えている。制御定数変更部（伝達関数変更部）１２０は操舵速度検出部７で検出した操舵速度に基づいて、補償演算部９の制御定数の設定値を演算する。補償演算部９は操舵トルク検出器３で検出した操舵トルク信号τｓと車速検出器（図示せず）で検出した車速、および制御定数変更部１２０で設定した制御定数に基づいて、後述する演算を行った結果として電流指令Ｉｒを出力する。電流制御部１０は補償演算部９で演算した電流指令Ｉｒにモータ４の電流Ｉｍが一致するように制御を行う。なお、実際の補償演算部９へ入力する操舵トルク信号τｓは、物理的な操舵トルクを操舵トルク検出器３で検出した信号、またそれに補正を加えた信号である場合もあるが、以下では補償演算部９への入力を単に操舵トルクτｓと記述する。
【００１６】
次に、補償演算部９の演算動作について説明する。補償演算部９は操舵トルクτｓを低域増幅部１０２に入力する。低域増幅部１０２は、一般にルックアップテーブルの読み出し等で決定するアシスト曲線と呼ばれる関数と、操舵速度に応じて後述のように制御定数変更部１２０で設定した制御定数とに基づいて操舵トルクτｓを増幅した信号を出力する。
【００１７】
低域フィルタ１０１は低域増幅部１０２の出力に対してローパスフィルタの演算を行った結果を低域補償トルクτｌとして出力する。低域フィルタ１０１の周波数応答特性は、操舵速度に応じて後述のように決定された制御定数である低域フィルタ周波数ωｌ［ｒａｄ／ｓ］より低い周波数でゲインが概ね１で平坦な特性、低域フィルタ周波数ωｌより高周波数領域でゲインが低下する特性を持つ。なお、ここで言う平坦とは、定常的なゲインとの差が小さな値（例えば６［ｄＢ］）以下でほぼ一定であることを指す。
【００１８】
ここで、前記のようにアシスト曲線を用いた低域増幅部１０２において、その増幅比は操舵トルクτｓや車速に応じて変化する非線形なものが用いられるが、説明の簡単化のために単に低域ゲインＫｌ１の比率で増幅するものとして説明する。操舵トルクτｓに対する低域補償トルクτｌの伝達関数Ｇｌ１（ｓ）は次式のようにゲインＫｌ１とローパスフィルタを乗じた特性を持つ。
Ｇｌ１（ｓ）＝Ｋｌ１・ωｌ／（ｓ＋ωｌ）    （式１）
【００１９】
また、補償演算部９は操舵トルクτｓを比例補償部１０３に入力し、比例補償部１０３は入力に対して、後述のように制御定数変更部１２０で決定された制御定数である比例ゲインＫｐで増幅する演算を行い、その結果を比例補償トルクτｐとして出力する。比例補償部１０３の伝達関数Ｇｐ（ｓ）は次式となる。
Ｇｐ（ｓ）＝Ｋｐ    （式２）
【００２０】
また、補償演算部９は操舵トルクτｓを微分補償部１０４に入力し、微分あるいは擬似微分演算と所定の制御定数である微分ゲインＫｄを乗じる演算を行い、微分補償トルクτｈとして出力する。説明の簡単化のために上記の演算において純粋な微分を用いたとすると、微分補償部１０４の伝達関数Ｇｄ（ｓ）は次式となる。
Ｇｄ（ｓ）＝Ｋｄ・ｓ    （式３）
【００２１】
また、補償演算部９の内部において加算器１０５は低域補償トルクτｌと比例補償トルクτｐと微分補償トルクτｈとを加算した結果をノイズフィルタ１０６に入力する。
【００２２】
ノイズフィルタ１０６はその入力に対し、所定の制御定数であるノイズ遮断周波数ωｎ［ｒａｄ／ｓ］より高い周波数成分を遮断するような、次式のＦｎ（ｓ）で表すローパスフィルタ演算を行い、電流指令Ｉｒを出力する。
Ｆｎ（ｓ）＝１／（ｓ／ωｎ＋１）    （式４）
【００２３】
上記の結果、補償演算部９は、その全体で次式の伝達関数Ｃ（ｓ）で表す演算を行っている。
Ｃ（ｓ）＝Ｆｎ（ｓ）・｛Ｇｌ１（ｓ）＋Ｇｐ（ｓ）＋Ｇｄ（ｓ）｝    （式５）
【００２４】
また上記（式５）は次の（式６）〜（式９）に変換される。
Ｃ（ｓ）＝｛ｂ２・ｓ＾２＋ｂ１・ｓ＋ｇ０・ωｌ｝／｛（ｓ＋ωｌ）・（ｓ／ωｎ＋１）｝    （式６）
ｇ０＝Ｋｐ＋Ｋｌ１    （式７）
ｂ１＝Ｋｐ＋Ｋｄ・ωｌ    （式８）
ｂ２＝Ｋｄ    （式９）
ここで、仮に検出ノイズ等が無視できると想定した場合、ノイズ除去を目的としたノイズフィルタ１０６は用いなくてもよい、すなわちノイズフィルタの極ωｎは無限大として無視できるため、本実施の形態１における補償演算部９は本質的に、絶対値がωｌである１つの極（後述の低域極）と、２次の分子多項式の根である２つの零点（後述の中間零点）を持つ伝達関数の演算を行っている。
【００２５】
次に、補償演算部９に望まれる特性、特に補償演算部９の伝達関数Ｃ（ｓ）と、それを用いた結果である制御系の閉ループ特性との対応について図３を用いて説明を行う。なお、ここでは説明の簡単化のために操舵速度検出部７および制御定数変更部１２０は省略して説明する。
【００２６】
まず電動パワーステアリング制御装置全体の動特性について説明する。図３は図１および図２に示した電動パワーステアリング制御装置の動特性を表すブロック図であり、以下においては電動パワーステアリング制御装置の動特性を図１に示した構成と対応付けて説明する。
【００２７】
図３において、ステアリングホイール１の角度であるハンドル角度θｈを運転者が回転させることで、ステアリング軸２が弾性変形を行い操舵トルクτｓを発生する。すなわち、ハンドル角度θｈと操舵角度（すなわち操舵輪６およびモータ４の回転角度）θｍとの差分を表す角度差分器１１によって相対角度θｅが生じ、相対角度θｅに対して弾性定数部１２でステアリング軸２の弾性定数Ｋｓが乗じられることで操舵トルクτｓが発生する。また操舵トルクτｓはステアリングホイール１へと伝達されるとともに、操舵トルク検出器３（図示せず）で操舵トルクτｓを検出して制御ユニット８に入力される。制御ユニット８において演算した電流指令Ｉｒに一致するようなモータ電流Ｉｍがモータ４へと供給される。ここで、簡単化のために電流指令Ｉｒとモータ電流Ｉｍは一致するとして説明すると、制御ユニット８の伝達関数は補償演算部９の伝達関数Ｃ（ｓ）となる。制御ユニット８からモータ４へと供給されるモータ電流Ｉｍによってモータ４でモータトルクτｍが発生する。すなわちモータ電流Ｉｍに対してトルク定数部１３でトルク定数Ｋｔを乗じてモータトルクτｍが発生する。次に、モータ４、減速機構５、ステアリング軸２、操舵輪６等から構成される操舵機構に対して、モータトルクτｍおよび操舵トルクτｓが加わり、また路面反力τｄが逆方向に加わる。すなわち、トルク加算器１４によってモータトルクτｍならびに操舵トルクτｓの加算および外乱トルクである路面反力τｄの減算が行われた結果としてのトルクが操舵機構慣性部１５に作用し、操舵機構慣性部１５が駆動された結果として操舵角度θｍが出力される。
【００２８】
次に、制御入力である電流指令Ｉｒあるいはモータ電流Ｉｍから検出値である操舵トルクτｓまでの特性、すなわち制御対象１６の特性について、簡易なモデルを用いて説明する。制御対象１６の伝達関数をＰ（ｓ）と記述すると、簡易なＰ（ｓ）のモデルは次式で表される。なお、数式上の制御対象Ｐ（ｓ）の出力の定義は、常用的な古典制御としての説明の便宜上、図３における操舵トルクτｓと正負の符号を反転させて記述する。
Ｐ（ｓ）＝Ｋｔ・Ｋｓ／（Ｊ・ｓ^２＋Ｄ・ｓ＋Ｋｓ）    （式１０）
【００２９】
上記（式１０）において、Ｊは操舵機構慣性部１５の慣性モーメントであり、Ｄはステアリング軸２における変形の粘性や摩擦等の影響を表す定数で相対的に小さいものである。（式１０）より、制御対象Ｐ（ｓ）は２次共振系として表され、その共振周波数（概ね１０［Ｈｚ］程度）より数分の１以下の低周波数の領域では、ゲインが周波数に対して平坦な特性となる。また共振周波数より数倍以上の高周波数の領域では、概ね２階積分系の特性に近似され、周波数増大に対してゲインが低下するとともに、位相が概ね−１８０［ｄｅｇ］で一定な特性になる。
【００３０】
ここで、電動パワーステアリング制御装置の主要な目的は運転者による操舵で発生する操舵トルクτｓを補助することであるが、操舵に対抗する力が主に路面反力であることを考慮すると、電動パワーステアリング制御装置の目的は、図３における路面反力τｄから操舵トルクτｓへ伝達する力を望ましい特性で低減することと考えることができる。そこで、路面反力τｄから操舵トルクτｓまでの伝達関数を操舵感度Ｓｄ（ｓ）と呼ぶことにする。
【００３１】
一方、この操舵感度Ｓｄ（ｓ）は、路面反力が操舵トルクへ及ぼす影響を表すだけでなく、例えばモータ４で発生するトルクリプルなど、ステアリング軸２に加わる一般的な外乱トルクが操舵トルクへ与える影響を表している。したがって、運転者の操舵感への影響も考慮する必要があるものの、一般には操舵感度Ｓｄ（ｓ）のゲインはなるべく広い周波数領域に渡って小さくしたいものである。
【００３２】
制御ユニット８すなわち補償演算部９の伝達関数Ｃ（ｓ）および制御対象Ｐ（ｓ）からなる開ループの伝達関数を次式のＬ（ｓ）で表すと、操舵感度Ｓｄ（ｓ）は（式１２）で表される。
Ｌ（ｓ）＝Ｃ（ｓ）・Ｐ（ｓ）    （式１１）
Ｓｄ（ｓ）＝Ｐ（ｓ）／（１＋Ｌ（ｓ））    （式１２）
【００３３】
上記（式１２）における分母の効果より、開ループ伝達関数Ｌ（ｓ）のゲインが１（すなわち０［ｄＢ］）より小さければ分母は１に近づき、操舵感度Ｓｄ（ｓ）のゲイン低減効果を十分に得ることはできないことが解る。したがって、Ｌ（ｓ）のゲインが０［ｄＢ］と交差するゲイン交差周波数（以下では単に交差周波数と呼ぶ）は制御系の性能を表す大きな指標となる。また一般に制御帯域と呼ばれる周波数もこの交差周波数に対応する。
【００３４】
ここで、上述のように、制御対象Ｐ（ｓ）が共振周波数より低い周波数でゲインが平坦な特性となり、その定常ゲインはトルク定数Ｋｔとなる。モータ４にてステアリング軸２で発生する操舵トルクよりも大きなモータトルクで補助を行う場合、すなわち補償演算部９の伝達関数Ｃ（ｓ）のゲインを１／Ｋｔより大きくする、すなわち操舵トルクτｓからモータトルクτｍまでのゲインを１よりも大きくすると、交差周波数は共振周波数より大きく選ぶ必要があることは容易に理解できる。言い換えると、弾性定数Ｋｓがステアリング軸に与える動的な影響を表す共振周波数は、操舵制御装置の制御帯域に比べて低い周波数領域になるよう、交差周波数を高い周波数に選ぶ必要がある。
【００３５】
具体的には、制御対象Ｐ（ｓ）の共振周波数は概ね１０［Ｈｚ］程度であり、交差周波数は概ね３０［Ｈｚ］よりも大きな値に選ばれる。その結果、通常選ばれる交差周波数付近においては、制御対象Ｐ（ｓ）の位相は−１８０［ｄｅｇ］に近い値となる。
【００３６】
次に、制御系の安定性に大きく関係する交差周波数付近において制御系に望まれる特性について説明する。交差周波数付近の周波数領域を高周波数領域と呼ぶことにする。上記のような交差周波数の位相が−１８０［ｄｅｇ］に近い制御対象に対し、ステアリング軸２の弾性定数Ｋｓと同様な比例要素だけで制御を行うと、バネと同様な特性で振動的になり安定性が劣化する。また実際には、制御ユニット８と制御対象１６とから構成される制御ループに、電流制御部１０の制御遅れや操舵トルク検出器３における検出遅れ等、簡易モデルに対するモデル化誤差に起因した位相遅れが存在するため、制御系は不安定に発散する。このようなフィードバック制御系においては、交差周波数において、Ｌ（ｓ）の位相が−１８０［ｄｅｇ］に比べて位相余裕と呼ばれる分だけ進んでいる必要がある。なお、この位相余裕は通常は３０［ｄｅｇ］程度以上確保する必要がある。
【００３７】
上記の交差周波数付近の特性は、後述する運転者の操舵感に大きく影響する低周波数領域に比べて高い周波数領域の特性を決定づけるが、上記のように開ループ伝達関数Ｌ（ｓ）の位相を−１８０[ｄｅｇ]より進ませるためには、制御対象P（ｓ）の位相が−１８０［ｄｅｇ］に近いため、制御ユニット８すなわち補償演算部９の伝達関数Ｃ（ｓ）を０［ｄｅｇ］より進める必要がある。したがって、補償演算部９の伝達関数Ｃ（ｓ）は、交差周波数付近の高周波数領域において微分、あるいは擬似微分に近い特性にする必要がある。その結果、交差周波数付近の高周波数領域において、補償演算部９の伝達関数のゲインは、周波数の増加に対して増大するような特性にする必要がある。
【００３８】
ただし実際には、信号量子化誤差等や微分によって励起するノイズ除去のためのノイズフィルタ１０６による位相遅れや、上述のように、モデル化誤差に起因した位相遅れが存在することにより、実現可能な交差周波数には上限があり、その限界は、制御対象１６や制御ユニット８のハードウエア的な性能への依存性が高い。
【００３９】
次に、運転者の操舵感に大きく影響する低周波数領域の望ましい特性について説明する。一般に１Ｈｚ〜数Ｈｚより低い低周波数領域では、路面反力の影響を自然に運転者すなわちステアリングホイール１へと伝達する必要がある。そのためには、上述の操舵感度Ｓｄ（ｓ）が、低周波数領域で一定、すなわちゲインの周波数特性が平坦である必要がある。
【００４０】
ここで、交差周波数より十分に低い低周波数領域では、通常は開ループ伝達関数Ｌ（ｓ）のゲインが０［ｄＢ］より十分に大きい。すなわち次式で表される。
｜L｜＞＞１    （式１３）
【００４１】
（式１１）、（式１２）、（式１３）より、低周波数領域の操舵感度Ｓｄ（ｓ）は次式で近似される。
｜Ｓｄ｜≒｜Ｐ｜／｜Ｌ｜＝１／｜Ｃ｜    （式１４）
【００４２】
（式１４）より、（式１３）が成り立つ低周波数領域においては、操舵感度Ｓｄ（ｓ）のゲイン特性は補償演算部９の伝達関数Ｃ（ｓ）のゲインの逆数に近似されることがわかる。したがって、低周波数領域において操舵感度Ｓｄ（ｓ）のゲインを周波数に対して平坦に実現するためには、補償演算部９の伝達関数Ｃ（ｓ）のゲインを周波数に対して平坦にする必要があることが理解できる。また一般的には、特に車速が小さい場合など、操舵トルクτｓに対してモータトルクτｍにより補助を行う比率であるアシスト比を大きくすることが望まれる。すなわち、伝達関数Ｃ（ｓ）および開ループ伝達関数Ｌ（ｓ）の定常ゲインを大きくすることで、操舵感度Ｓｄ（ｓ）の定常ゲインを小さくすることが望まれる。
【００４３】
次に、上記の低周波数領域と高周波数領域（交差周波数近辺の領域）との中間にあたる中周波数領域の望ましい特性について説明する。上述のように実現可能な交差周波数には限界がある。また、上述のように、一般的には開ループ伝達関数Ｌ（ｓ）のゲインを大きくすることが望まれる。ここで、交差周波数を、上記の操舵感に大きく影響する低周波数領域の数倍以上に大きくした場合において、中周波数領域においては、補償演算部９の伝達関数Ｃ（ｓ）のゲインを、周波数の増大に対してゲインが減少するような特性（周波数の減少に対してゲインが増大するような特性）にすれば、交差周波数付近のゲインを大きくできなくても低周波数領域のゲインを増大させることができる。このような特性を実現するためには、補償演算部９の伝達関数Ｃ（ｓ）を、この中周波数領域において積分特性に近似されるような特性にすればよい。すなわち、補償演算部９の伝達関数Ｃ（ｓ）において、ゲインが平坦な特性が望まれる低周波数領域と中周波数領域との間の周波数に対応する極を持たせることで実現でき、この極を低域極、その絶対値に対応する周波数を単に極周波数と呼ぶことにする。
【００４４】
上記のように、中周波数領域において周波数の増大に対してゲインが減少するような積分特性に近似される特性にするとともに、交差周波数付近の高周波数領域において、周波数の増大に対してゲインが増大する微分特性に近似される特性を実現するためには、中周波数領域と高周波数領域との間に２つの零点が必要であることは容易に理解できる。この２つの零点を中間零点、また中間零点に対応する周波数を単に零点周波数と呼ぶことにする。なお、上記２つの零点は、近接した実数値、あるいは共役複素数として選ばれるものであり、零点周波数と呼ぶ周波数は、２つの零点が共役複素数の場合は各零点の絶対値（２つとも同じ値）とも同じ値である。
【００４５】
次に、上述した補償演算部９に望まれる特性と本実施の形態１による補償演算部９の構成との対応について説明を行う。本実施の形態１による補償演算部９の伝達関数Ｃ（ｓ）は上記の（式６）で示され、絶対値がωｌの低域極を有するとともに、その極周波数ωｌより低い低周波数領域においては、Ｃ（ｓ）のゲインが周波数の増大に対して平坦な特性を持つ。また補償演算部９の伝達関数Ｃ（ｓ）は２次の分子多項式を持つため２つの零点すなわち中間零点を有し、（ｇ０・ωｌ）／ｂ２の平方根が各零点の相乗平均すなわち上述の零点周波数に相当する。また極周波数ωｌから零点周波数までの中周波数領域では、周波数の増大に対してゲインが低下する特性に、零点周波数以上の高周波数領域では、周波数の増大に対してゲインが増大する特性となる。ここで、本実施の形態１による補償演算部９は（式６）に示したように周波数がωｎであるノイズフィルタ１０６の極を更に有しているが、該極は、交差周波数すなわち高周波数領域での位相余裕を十分に確保するために、零点周波数の３倍以上の値に設定される。図４は補償演算部９の伝達関数Ｃ（ｓ）の周波数応答を説明する図である。該図４に関する説明は、後ほど詳しく行う。
【００４６】
このように、本実施の形態１における補償演算部９は、ノイズフィルタ１０６によるノイズ低減効果を加えた上で、補償演算部９の伝達関数Ｃ（ｓ）として望ましい形を実現する必要最小限の一構成例であることが分かる。
【００４７】
次に、上記の補償演算部９における演算で用いる定数、すなわち制御定数変更部１２０で設定される制御定数について説明する。微分ゲインＫｄおよびノイズフィルタ周波数ωｎの設定は、上述のようにハードウエア的条件で決まる要因が大きいため、ここでは固定したものとして説明する。また、電動パワーステアリング制御装置の特性として一般にはアシスト比を大きくすることが要求されるため、低域ゲインＫｌ１すなわち（式６）におけるｇ０を大きく設定したものとして説明する。
【００４８】
補償演算部９の制御定数として異なる値を設定した３つの場合について、図４に補償演算部９の伝達関数Ｃ（ｓ）の周波数応答を、図５に開ループ伝達関数Ｌ（ｓ）の周波数応答を、図６に操舵感度Ｓｄ（ｓ）のゲインの周波数応答を示す。これらのシミュレーションに用いた制御対象Ｐ（ｓ）は、例として共振周波数が８［Ｈｚ］のものを用いている。また、制御対象Ｐ（ｓ）に含まれる位相遅れを考慮して交差周波数が約４０［Ｈｚ］になるように設定されている。各図において、実線は標準的な設定を示し、以下では標準設定と呼ぶ。また、各図において鎖線は標準設定に比べて制御定数である低域フィルタ１０１の低域フィルタ周波数ωｌだけを大きく設定したものを示し、以下では低域強調設定と呼ぶ。また、各図における破線は標準設定に比べて（式６）におけるｂ１だけを大きく設定することで中間零点の特性を変化させたもの、すなわち（式８）に基づいて比例補償部１０３の比例ゲインＫｐを大きくするとともに、（式６）におけるｇ０が一定になるように、（式７）に基づいて低域増幅部１０２の低域ゲインＫｌ１を小さくしたものを示し、以下では中間強調設定と呼ぶ。
【００４９】
ここで、図４、図５、図６に実線で示した標準設定は、図５に示した開ループ伝達関数Ｌ（ｓ）において交差周波数での位相余裕が小さくなり過ぎず、また図６に示した操舵感度Ｓｄ（ｓ）のゲインが特定の周波数で大きくなり過ぎずに滑らかに変化するよう、各制御定数を決定したものである。
【００５０】
一方、鎖線で示した低域強調設定では、図４に示すように、補償演算部９の伝達関数Ｃ（ｓ）における極周波数（白抜き菱形）を、標準設定の極周波数（黒塗り菱形）よりも大きくしている。その結果、図４に示すよう比較的低い周波数領域（１［Ｈｚ］〜１０［Ｈｚ］程度）において、標準設定に比較して補償演算部９の伝達関数Ｃ（ｓ）のゲインが大きくなり、その周波数領域において、図６に示した操舵感度Ｓｄ（ｓ）のゲインが低減されていることが分かる。
【００５１】
また破線で示した中間強調設定では、図４に示すように、零点周波数の前後の周波数領域（３［Ｈｚ］〜３０［Ｈｚ］）において、補償演算部９の伝達関数Ｃ（ｓ）のゲイン（白抜き三角）が標準設定のゲイン（黒塗り三角）より大きくなるとともに、図６に示すように操舵感度Ｓｄ（ｓ）のゲインが低減されていることが分かる。
【００５２】
ここで、図６に示した操舵感度Ｓｄ（ｓ）の周波数応答ゲインは、Ｂｏｄｅの感度積分の定理に基づいて、制御定数を変更しても操舵感度Ｓｄ（ｓ）のゲインを全周波数に渡って積分した値は不変であることが知られている。すなわち、ある周波数の操舵感度Ｓｄ（ｓ）を低減すると、他の周波数の操舵感度Ｓｄ（ｓ）が大きくなることが知られている。上述の図６の例においては、鎖線で示した低域強調設定とした場合は、操舵感度Ｓｄ（ｓ）が上述のように比較的低周波数の領域で低減されているものの、交差周波数より少し低い周波数である２０［Ｈｚ］付近にて標準設定より大きくなっていることが分かる。また、点線で示した中間強調設定においては、操舵感度Ｓｄ（ｓ）が上述のように零点周波数近辺では低減されているものの、交差周波数である４０［Ｈｚ］付近において標準設定より大きくなっていることが分かる。これらの結果、操舵感度Ｓｄ（ｓ）のゲインは、図６に示した第１の境界周波数より低い周波数領域においては、低域強調設定が最も小さく、第１の境界周波数から第２の境界周波数の領域においては、中間強調設定が最も小さく、第２の境界周波数より高い周波数領域においては標準設定が最も小さい結果となっていることが分かる。
【００５３】
次に、本実施の形態１による制御定数変更部１２０の動作について説明する。制御定数変更部１２０はモータのトルクリプルなど、モータの回転速度すなわち操舵速度に応じた周波数の外乱が操舵感に及ぼす影響を低減する目的のものである。概略としては、モータのトルクリプルの周波数（リプル周波数）はモータの回転速度に比例した周波数で発生するため、リプル周波数に応じて、すなわち操舵速度に応じて補償演算部９の制御定数の変更を行うことで、リプル周波数における操舵感度Ｓｄ（ｓ）をより低減し、トルクリプルが操舵トルクに伝わる影響を低減するものである。
【００５４】
次に、制御定数変更部１２０の動作の詳細について説明する。制御定数変更部１２０は操舵速度検出部７で検出した操舵速度に基づき、操舵速度に比例したリプル周波数が図６に示した第１の境界周波数より低い場合には、補償演算部９の制御定数を上述の低域強調設定として設定する。すなわち、低域フィルタ１０１の極周波数ωｌを標準設定に比べて大きい値に設定する。
【００５５】
次に、操舵速度が大きくなり、リプル周波数が図６の第１の境界周波数と第２の境界周波数の間にある場合には、制御定数変更部１２０は補償演算部９の制御定数を上述の中間強調設定として設定する。すなわち、リプル周波数が第１の境界周波数より大きくなるよう操舵速度が大きくなるに従って極周波数ωｌを小さくして標準設定の値にする。これと同時に（式６）におけるｂ１が大きくなるように補償演算部９の制御定数を設定する。具体的な動作としては、比例補償部１０３における比例ゲインＫｐを大きくするとともに、ＫｐとＫｌ１の和が同じになるように低域増幅部１０２における低域ゲインＫｌ１を小さくする。ここで、ＫｐとＫｌ１との和が同じようにしているのは、補償演算部９の伝達関数Ｃ（ｓ）の定常ゲインすなわち（式６）におけるｇ０が変化しないようにし、定常的なアシスト比を一定にすることで操舵感を保つためである。
【００５６】
ここで、上記のリプル周波数が第１の境界周波数より大きく変化したときの制御定数変更部１２０の動作は、極周波数ωｌが小さくなるよう、対応する低域極を変化させると同時に、（式６）におけるｂ１を大きく設定することで分子多項式の根すなわち中間零点の特性を変化させている。分母分子を併せた伝達関数の表現の自由度を考慮し、また安定性に大きく関係する微分ゲインＫｄすなわちｂ２はなるべく大きく設定することを考慮した上で前述の中間零点の変化を言い換えると、２つの零点（中間零点）を根として持つ２次多項式、すなわちＣ（ｓ）の分子多項式における１次係数ｂ１の２次係数ｂ２に対する比を大きくしている。
【００５７】
次に、操舵速度が更に大きくなり、リプル周波数が図５における第２の境界周波数より大きくなった場合には、制御定数変更部１２０は補償演算部９の制御定数を上述の標準設定として設定する。すなわち、リプル周波数が第１の境界周波数と第２の境界周波数との間にあるときに比べて、（式６）におけるｂ１が小さくなるように補償演算部９の制御定数を設定する。具体的には、比例補償部１０３における比例ゲインＫｐを小さくするとともに、ＫｐとＫｌ１の和が同じになるように低域増幅部１０２における低域ゲインＫｌ１を大きくする。言い換えると、リプル周波数が第２の境界周波数より大きくなるよう操舵速度が増大するに従い、零点周波数に対応する２つの零点（中間零点）を根として持つ２次多項式における１次係数ｂ１の２次係数ｂ２に対する比を小さくするよう中間零点の特性を変更する。
【００５８】
上記において、リプル周波数が第１の境界周波数および第２の境界周波数の前後に変化する場合の動作は、制御定数ωｌ、Ｋｐ、Ｋｌ１が連続的に変化するように徐々に変化させてもよい。また、リプル周波数が第１の境界周波数および第２の境界周波数を越える時点で不連続に制御定数を変更してもよいが、Ｋｐを不連続に変化させると電流指令Ｉｒが急峻に変化してショックを生じてしまう。それを防ぐためにＫｐを切り換える時点において、電流指令Ｉｒが急変しないよう、言い換えると加算器１０５の出力が連続的になるよう、補償演算部９における低域フィルタ１０１の状態変数の値を不連続に変更することで、電流指令Ｉｒが急峻に変化して操舵感に悪影響を与えることなく制御定数を切り換えることができる。
【００５９】
上記のように制御定数変更部１２０が動作することにより、補償演算部９の伝達関数Ｃ（ｓ）は、リプル周波数が第１の境界周波数より小さい場合は低域強調設定、第１の境界周波数と第２の境界周波数の間にあるときは中間強調設定、第２の境界周波数より大きい場合は標準設定に変更され、操舵感度Ｓｄ（ｓ）のゲインは、リプル周波数の変化に対して常に図６に示した最も小さいものとなる。したがって、操舵速度に応じて周波数が変化するトルクリプルのステアリングホイールへの伝達を操舵速度に応じて低減することができ、操舵速度に応じた操舵感を向上することが可能になる。
【００６０】
上記の説明では、低域強調設定、中間強調設定、標準設定の３つの異なる設定に変更するように記載したが、低域強調設定と標準設定の２つの組合せだけでも同様な効果が得られることも容易に理解できる。この場合、図６に示した第３の境界周波数よりリプル周波数が低い操舵速度においては上述の低域強調設定を設定し、それより高い周波数においては標準設定を設定すればよい。またこの場合の制御定数変更部１２０の動作は、操舵速度の増大に従って、低域フィルタ１０１の極周波数ωｌが小さくなるよう、対応する低域極の特性を変更する。
【００６１】
また、中間強調設定と標準設定の２つの組合せだけでも同様な効果が得られることも容易に理解できる。この場合、図６に示した第２の境界周波数よりリプル周波数が低い操舵速度においては上述の中間強調設定を設定し、それより高い周波数においては標準設定を設定すればよい。またこの場合は、操舵速度の増大に応じてｂ１を小さく設定する。具体的には、操舵速度の増大に応じて比例補償部１０３の比例ゲインＫｐを小さくするとともに、Ｋｐとの和が一定になるよう、低域増幅部１０２の低域ゲインＫｌ１を大きく設定する。言い換えると、２つの零点（中間零点）を根に持つ２次多項式における１次係数ｂ１の２次係数ｂ２に対する比を小さく設定するよう中間零点の特性を変更する。
【００６２】
上記の説明では、操舵速度に応じた補償演算部９の制御定数の設定についてのみ記載したが、特許文献１に記載されているように、車速や操舵トルクに応じて補償演算部９の制御定数を変更しても良いことは言うまでも無い。
【００６３】
上記の説明では、操舵速度検出部７が操舵速度を検出するものとして記述したが、例えば閾値を基準とした操舵速度の大小のみの判断を行うようにしても良い。
【００６４】
また、上記の説明では補償演算部９として図２に記載した構成に即して説明したが、（式６）に示した伝達関数を実現するものであれば様々な構成で実現できることは明らかであり、例えば特許文献１と同様に遅れ進みフィルタの形で（式６）を実現してもよいことは言うまでもない。更に、補償演算部９について図２に示した構成および（式６）の伝達関数は、最小限で簡単な演算で実現可能なものであるが、これを冗長な構成として、（式６）に対して更に極と零点が同数だけ付加された伝達関数を持つものに関しても、付加された極と零点が近接したもの（２倍以下）であれば、実質的に本実施の形態によるものと変わりが無いことも明らかである。
【００６５】
以上述べたように、本発明の実施の形態１によれば、制御定数変更部（伝達関数変更部）１２０が操舵速度に応じて補償演算部９の伝達関数Ｃ（ｓ）の低域極または中間零点を変化させるように構成したので、操舵速度に応じて変動するトルクリプル等の外乱がステアリングホイールへ及ぼす影響を操舵速度に応じて低減することができるので、操舵速度に応じた操舵感を向上させることが可能になる。
【００６６】
実施の形態２．
次に、本発明の実施の形態２に関わる電動パワーステアリング制御装置について説明する。その全体構成は図１に示したものと同じであり、説明を省略する。図７は本実施の形態２における制御ユニット８の構成を表すブロック図であり、実施の形態１と同一部分には同一符号を記す。本実施の形態２の実施の形態１との相違は、補償演算部９の内部において、低域増幅部２０２の設定が実施の形態１における低域増幅部１０２と異なり、また低域フィルタ２０１の入力が実施の形態１における低域フィルタ１０１と異なるものである。またそれに応じて制御定数変更部２２０の動作を変更したものである。
【００６７】
制御ユニット８は補償演算部９と制御定数変更部２２０と電流制御部１０から構成され、操舵トルク検出器３で検出した操舵トルクτｓと操舵速度検出部７で検出した操舵速度を補償演算部９に入力する。補償演算部９は以下で述べる演算を行った結果として電流指令Ｉｒを出力する。電流制御部１０は補償演算部９で演算した電流指令Ｉｒにモータ４の電流Ｉｍが一致するように制御を行う。
【００６８】
次に、補償演算部９の演算動作について説明する。補償演算部９は操舵トルクτｓを低域増幅部２０２に入力する。低域増幅部２０２は、操舵トルクτｓに基づき、一般にルックアップテーブルの読み出し等で決定するアシスト曲線と呼ばれる関数に基づいて増幅した信号を出力する。この増幅比を低域ゲインＫｌ２とする。
【００６９】
また、補償演算部９は操舵トルクτｓを比例補償部１０３に入力し、比例補償部１０３は実施の形態１と同様に、制御定数変更部２２０で設定した制御定数である比例ゲインＫｐで操舵トルクτｓを増幅する演算を行い、その結果を比例補償トルクτｐとして出力する。比例補償部１０３の伝達関数Ｇｐ（ｓ）は（式２）に示したとおりである。
【００７０】
また、補償演算部９は低域増幅部２０２の出力から比例補償部１０３の出力を減算した信号を低域フィルタ２０１に入力し、低域フィルタ２０１は入力された値に対してローパスフィルタの演算を行った結果を低域補償トルクτｌとして出力する。低域フィルタ２０１の伝達関数は実施の形態１における低域フィルタ１０１と全く同様なローパスフィルタであり、上記の演算の結果、操舵トルクτｓから低域補償トルクτｌまでの伝達関数Ｇｌ２（ｓ）は次式となる。
Ｇｌ２（ｓ）＝（Ｋｌ２−Ｋｐ）ωｌ／（ｓ＋ωｌ）    （式１５）
【００７１】
また、補償演算部９は操舵トルクτｓを微分補償部１０４に入力し、微分補償部１０４は実施の形態１と同様な演算により微分補償トルクτｈとして出力する。微分補償部１０４の伝達関数Ｇｄ（ｓ）は（式３）に示したとおりである。
【００７２】
また、ノイズフィルタ１０６は実施の形態１と同様に（式４）に示した演算を行う。上記の結果、補償演算部９は、その全体で次式の伝達関数Ｃ（ｓ）で表す演算を行っている。
Ｃ（ｓ）＝Ｆｎ（ｓ）・｛Ｇｌ２（ｓ）＋Ｇｐ（ｓ）＋Ｇｄ（ｓ）｝    （式１６）
【００７３】
また（式１６）は次の（式１７）〜（式２０）に変換される。
Ｃ（ｓ）＝｛ｂ２・ｓ＾２＋ｂ１・ｓ＋ｇ０・ωｌ｝／｛（ｓ＋ωｌ）・（ｓ／ωｎ＋１）｝    （式１７）
ｇ０＝Ｋｌ２    （式１８）
ｂ１＝Ｋｐ＋Ｋｄ・ωｌ    （式１９）
ｂ２＝Ｋｄ    （式２０）
【００７４】
上記において（式１７）は実施の形態１における（式６）と全く同じ形をしており、その係数に関しても、（式１９）および（式２０）に示したｂ１、ｂ２は実施の形態１における（式８）および（式９）と全く同じであることがわかる。また、（式７）と（式１８）との比較より、実施の形態１における、低域増幅部１０２の低域ゲインＫｌ１と比例補償部１０３の比例ゲインＫｐとの和を、本実施の形態２における、低域増幅部２０２の低域ゲインＫｌ２だけに置き換えれば、本実施の形態２は実施の形態１と全く同様に動作することが分かる。したがって、このように置き換えを行えば、実施の形態１と全く同様に、図４、図５、図６に示した標準設定、低域強調設定、中間強調設定として補償演算部９における制御定数の設定を行うことができる。
【００７５】
次に、制御定数変更部２２０の動作について説明する。制御定数変更部２２０は操舵速度検出部７で検出した操舵速度に基づき、操舵速度に比例したリプル周波数が図６に示した第１の境界周波数より低い場合には、補償演算部９の制御定数を上述の低域強調設定として設定する。すなわち、低域フィルタ２０１の極周波数ωｌを標準設定に比べて大きい値に設定する。
【００７６】
次に、操舵速度が大きくなり、リプル周波数が図６の第１の境界周波数と第２の境界周波数の間にある場合には、制御定数変更部２２０は補償演算部９の制御定数を上述の中間強調設定として設定する。すなわち、リプル周波数が第１の境界周波数より大きくなるよう操舵速度が大きくなるに従って、極周波数ωｌを小さくして標準設定の値にする。またこれと同時に（式１７）におけるｂ１が大きくなるように補償演算部９の制御定数を設定する。具体的には比例補償部１０３における比例ゲインＫｐを大きくする。すなわち、零点周波数に対応する２つの零点（中間零点）を根として持つ２次多項式における１次係数ｂ１の２次係数ｂ２に対する比を大きくする。ここで、実施の形態１においては補償演算部９の伝達関数Ｃ（ｓ）の定常ゲインが変化しないように低域増幅部１０２における低域ゲインＫｌ１を同時に変更していたが、本実施の形態２においては、（式１７）および（式１８）に示したように、補償演算部９の伝達関数Ｃ（ｓ）の定常ゲインｇ０は低域増幅部２０２における低域ゲインＫｌ２だけで決定されるため、比例ゲインＫｐを変更しても低域増幅部２０２の低域ゲインＫｌ２を変更する必要はない。
【００７７】
次に、操舵速度が更に大きくなり、リプル周波数が図５における第２の境界周波数より大きくなった場合には、制御定数変更部２２０は補償演算部９の制御定数を上述の標準設定として設定する。すなわち、リプル周波数が第１の境界周波数と第２の境界周波数との間にあるときに比べて、（式１７）におけるｂ１が小さくなるように補償演算部９の制御定数を設定する。具体的には、比例補償部１０３における比例ゲインＫｐを小さくする。
言い換えると、零点周波数に対応する２つの零点（中間零点）を根として持つ２次多項式における１次係数ｂ１の２次係数ｂ２に対する比を小さくするよう零点の特性を変更する。
【００７８】
なお、本実施の形態２においても実施の形態１と同様に、リプル周波数が第１の境界周波数および第２の境界周波数の前後に変化する場合の動作は、制御定数ωｌ、Ｋｐが連続的に変化するように徐々に変化させてもよい。また、リプル周波数が第１の境界周波数および第２の境界周波数を越える時点で不連続に制御定数を変更してもよいが、Ｋｐを不連続に変化させると電流指令Ｉｒが急峻に変化してショックを生じてしまう。それを防ぐためにＫｐを切り換える時点において、電流指令Ｉｒが急変しないよう、補償演算部９における低域フィルタ２０１の状態変数の値を不連続に変更することで、電流指令Ｉｒが急峻に変化して操舵感に悪影響をあたえることなく制御定数を切り換えることができる。
【００７９】
本実施の形態２は上記のように構成しているので、実施の形態１と同様に、操舵速度に応じて変動するトルクリプル等の外乱がステアリングホイールへ及ぼす影響を操舵速度に応じて低減することができるので、操舵速度に応じた操舵感を向上させることが可能になる。
【産業上の利用可能性】
【００８０】
以上のように、本発明にかかる電動パワーステアリング制御装置は、モータにより操舵力を補助する電動パワーステアリング制御装置に適用して好適である。
【図面の簡単な説明】
【００８１】
【図１】実施の形態１による電動パワーステアリング制御装置の構成を示す図である。
【図２】実施の形態１による電動パワーステアリング制御装置における制御ユニットの構成を示すブロック図である。
【図３】実施の形態１による電動パワーステアリング制御装置の動特性を表すブロック図である。
【図４】実施の形態１による電動パワーステアリング制御装置における制御ユニットの周波数応答を表す図である。
【図５】実施の形態１による電動パワーステアリング制御装置を用いた開ループ伝達関数の周波数応答を表す図である。
【図６】実施の形態１による電動パワーステアリング制御装置を用いた操舵感度の周波数応答ゲインを表す図である。
【図７】実施の形態２による電動パワーステアリング制御装置における制御ユニットの構成を示すブロック図である。
【符号の説明】
【００８２】
１  ステアリングホイール
２  ステアリング軸
３  操舵トルク検出器
４  モータ
５  減速機構
６  操舵輪
７  操舵速度検出部
８  制御ユニット
９  補償演算部
１０  電流制御部
１１  角度差分器
１２  弾性定数部
１３  トルク定数部
１４  トルク加算器
１５  操舵機構慣性部
１６  制御対象
１０１  低域フィルタ
１０２  低域増幅部
１０３  比例補償部
１０４  微分補償部
１０５  加算器
１０６  ノイズフィルタ
１２０  制御定数変更部
２０１  低域フィルタ
２０２  低域増幅部
２２０  制御定数変更部
【図１】
2010163109.tif 000003
【図２】
2010163109.tif 000004
【図３】
2010163109.tif 000005
【図４】
2010163109.tif 000006
【図５】
2010163109.tif 000007
【図６】
2010163109.tif 000008
【図７】
2010163109.tif 000009